(57)【要約】【課題】本発明は、柱にフーチングを介して接合される基礎梁の施工性を向上することを目的とする。【解決手段】基礎梁接合構造１０は、柱１６が接合される鉄筋コンクリート造のフーチング２０と、フーチング２０に接合されるとともに、梁端部５０Ｅから突出する上端梁主筋５４及び下端梁主筋５６がフーチング２０に埋設される鉄筋コンクリート造の基礎梁５０と、平面視にて上端梁主筋５４及び下端梁主筋５６と交差するとともに、緊張した状態でフーチングに埋設される緊張材６０と、を備える。【選択図】図４
2020147977.tif 000002
【特許請求の範囲】
【請求項１】
柱が接合される鉄筋コンクリート造のフーチングと、
前記フーチングに接合されるとともに、梁端部から突出する梁主筋が前記フーチングに埋設される鉄筋コンクリート造の基礎梁と、
平面視にて前記梁主筋と交差するとともに、緊張した状態で前記フーチングに埋設される緊張材と、
を備える基礎梁接合構造。
【請求項２】
前記緊張材は、平面視にて、前記基礎梁側へ向けて凸状に湾曲される、
請求項１に記載の基礎梁接合構造。
【請求項３】
前記基礎梁は、プレキャストコンクリート造とされるとともに、前記フーチングに埋設され、
前記緊張材は、前記梁端部を梁幅方向に貫通する、
請求項１又は請求項２に記載の基礎梁接合構造。
【請求項４】
前記フーチングは、
前記フーチングの外周部に配置されるとともに、内部に前記緊張材が配置される外殻プレキャスト部材と、
前記外殻プレキャスト部材の内側に充填される充填コンクリートと、
を有する、
請求項１〜３の何れか１項に記載の基礎梁接合構造。
【発明の詳細な説明】
【技術分野】
【０００１】
本発明は、基礎梁接合構造に関する。
【背景技術】
【０００２】
既存橋脚や既存フーチングの周囲に設けられる増打ちコンクリート部と、増打ちコンクリート部の外周部に沿って埋設される緊張材とを備える補強構造が知られている（例えば、特許文献１，２参照）。
【先行技術文献】
【特許文献】
【０００３】
【特許文献１】特開平９−７１９１０号公報
【特許文献２】特開平１１−１００８５３号公報
【発明の概要】
【発明が解決しようとする課題】
【０００４】
ところで、鉄筋コンクリート造の基礎梁は、例えば、フーチングを介して柱に接合される。この場合、地震時に、基礎梁に作用する曲げモーメントを処理（伝達）するために、柱の両側に配置された基礎梁の梁主筋同士が接合される。
【０００５】
しかしながら、柱の両側に配置された基礎梁の梁主筋同士を接合すると、フーチング内の配筋が複雑化し、施工に手間がかかる可能性がある。
【０００６】
本発明は、上記の事実を考慮し、柱にフーチングを介して接合される基礎梁の施工性を向上することを目的とする。
【課題を解決するための手段】
【０００７】
請求項１に記載の基礎梁接合構造は、柱が接合される鉄筋コンクリート造のフーチングと、前記フーチングに接合されるとともに、梁端部から突出する梁主筋が前記フーチングに埋設される鉄筋コンクリート造の基礎梁と、平面視にて前記梁主筋と交差するとともに、緊張した状態で前記フーチングに埋設される緊張材と、を備える。
【０００８】
請求項１に係る基礎梁接合構造によれば、鉄筋コンクリート造のフーチングには、柱が接合される。また、フーチングには、鉄筋コンクリート造の基礎梁が接合される。基礎梁の梁主筋は、梁端部から突出し、フーチングに埋設される。このフーチングには、緊張材が緊張した状態で埋設される。緊張材は、平面視にて、基礎梁の梁主筋と交差する。
【０００９】
ここで、基礎梁に曲げモーメントが作用すると、梁端部に引張力（引抜き力）が作用する。この引張力は、フーチングに埋設された梁主筋を介して、フーチングに伝達される。この際、フーチングに対する梁主筋の埋設長さ（定着長さ）が短いと、梁主筋からフーチング筋まで応力が十分に伝達されず、また、フーチングと基礎梁との接合部にひび割れが発生する可能性がある。
【００１０】
これに対して本発明のフーチングには、前述したように、緊張した状態の緊張材が埋設される。この緊張材は、平面視にて梁主筋と交差する。これにより、梁主筋と交差する方向に沿ったプレストレスがフーチングに導入され、フーチングと基礎梁との接合部が補強される。したがって、梁主筋からフーチングに応力が十分に伝達されるため、フーチングと基礎梁との接合部に発生するひび割れが抑制される。
【００１１】
また、本発明では、柱の両側に配置された基礎梁の梁主筋同士を接合する必要がないため、フーチング内の配筋が単純化される。したがって、基礎梁及びフーチングの施工性が向上する。
【００１２】
請求項２に記載の基礎梁接合構造は、請求項１に記載の基礎梁接合構造において、前記緊張材は、平面視にて、前記基礎梁側へ向けて凸状に湾曲される。
【００１３】
請求項２に係る基礎梁接合構造によれば、緊張材は、平面視にて、基礎梁側へ向けて凸状に湾曲される。これにより、緊張材を緊張させると、緊張材によってフーチングが中央側へ押圧される。つまり、緊張材を緊張させると、フーチングを中央側へ圧縮させるプレストレスがフーチングに導入される。このプレストレスによって、基礎梁の梁端部に作用する引張力が相殺される。したがって、梁主筋からフーチングに応力が十分に伝達されるため、フーチングと基礎梁との接合部に発生するひび割れがさらに抑制される。
【００１４】
請求項３に記載の基礎梁接合構造は、請求項１又は請求項２に記載の基礎梁接合構造において、前記基礎梁は、プレキャストコンクリート造とされるとともに、前記フーチングに埋設され、前記緊張材は、前記梁端部を梁幅方向に貫通する。
【００１５】
請求項３に係る基礎梁接合構造によれば、基礎梁は、プレキャストコンクリート造とされる。また、基礎梁の梁端部は、フーチングに埋設される。この基礎梁の梁端部には、緊張材が梁幅方向に貫通される。これにより、フーチングと基礎梁の梁端部との接合部に、緊張材と交差する方向に沿ったプレストレスが導入される。したがって、梁主筋からフーチングに応力が十分に伝達されるため、フーチングと基礎梁の梁端部との接合部に発生するひび割れがさらに抑制される。
【００１６】
請求項４に記載の基礎梁接合構造は、請求項１〜３の何れか１項に記載の基礎梁接合構造において、前記フーチングは、前記フーチングの外周部に配置されるとともに、内部に前記緊張材が配置される外殻プレキャスト部材と、前記外殻プレキャスト部材の内側に充填される充填コンクリートと、を有する。
【００１７】
請求項４に係る基礎梁接合構造によれば、フーチングは、当該フーチングの外周部に配置される外殻プレキャスト部材を有する。この外殻プレキャスト部材の内部には、緊張材が配置される。これにより、現場での緊張材の施工が容易となる。
【００１８】
また、外殻プレキャスト部材の内側には、充填コンクリートが充填される。つまり、外殻プレキャストは、充填コンクリートの型枠として機能する。これにより、現場でのフーチング用の型枠の仮設や撤去作業が軽減される。したがって、フーチングの施工性が向上する。
【発明の効果】
【００１９】
以上説明したように、本発明に係る基礎梁接合構造によれば、柱にフーチングを介して接合される基礎梁の施工性を向上することができる。
【図面の簡単な説明】
【００２０】
【図１】一実施形態に係る基礎梁接合構造が適用された杭、フーチング、柱、及び基礎梁を示す平断面図である。
【図２】図１に示されるフーチングの縦断面図である。
【図３】図１に示される外殻プレキャスト部材の拡大断面図である。
【図４】図１に示されるフーチングの応力状態を示す平断面図である。
【図５】一実施形態に係る基礎梁接合構造の変形例を示す図３に対応する平断面図である。
【図６】一実施形態に係る基礎梁接合構造の変形例を示す図３に対応する平断面図である。
【図７】一実施形態に係る基礎梁接合構造の変形例を示す図３に対応する平断面図である。
【図８】一実施形態に係る基礎梁接合構造の変形例を示す図３に対応する平断面図である。
【図９】一実施形態に係る基礎梁接合構造の変形例を示す図３に対応する平断面図である。
【図１０】一実施形態に係る基礎梁接合構造の変形例を示す立面図である。
【発明を実施するための形態】
【００２１】
以下、図面を参照しながら、一実施形態に係る基礎梁接合構造について説明する。
【００２２】
図１及び図２には、本実施形態に係る基礎梁接合構造１０が適用された杭１２、フーチング２０、柱１６、及び基礎梁５０が示されている。
【００２３】
（杭）
図２に示されるように、杭１２は、地盤Ｇに設けられている。また、杭１２は、杭頭部を地盤Ｇから突出させた状態で地盤Ｇに埋設されている。この杭１２の杭頭部は、フーチング２０に埋設されている。
【００２４】
なお、杭１２は、コンクリート杭であっても良いし、鋼杭であっても良い。また、杭１２は、場所打ち杭であっても良いし、既成杭であっても良い。さらに、杭１２は、新設杭でも良いし、既存杭でも良い。
【００２５】
（フーチング）
フーチング２０は、鉄筋コンクリート造とされている。また、図１に示されるように、フーチング２０は、平面視にて、円形状に形成されている。このフーチング２０は、型枠として機能する外殻プレキャスト部材２２と、外殻プレキャスト部材２２の内側に充填される充填コンクリート４０とを有している。
【００２６】
外殻プレキャスト部材２２は、プレキャストコンクリート造とされており、例えば、工場等において製作される。また、外殻プレキャスト部材２２は、フーチング２０の外周部に沿った筒状に形成されている。この外殻プレキャスト部材２２の内周面２２Ａ及び外周面２２Ｂは、平面視にて、円形状とされている。また、外殻プレキャスト部材２２は、地盤Ｇから突出する杭頭部を囲むように配置される。なお、本実施形態では、外殻プレキャスト部材２２が、捨てコンクリート１４（図２参照）を介して地盤Ｇ上に設置されている。
【００２７】
外殻プレキャスト部材２２の上面には、複数の切欠き部２４が形成されている。複数の切欠き部２４は、フーチング２０の周方向に間隔を空けて配置されている。各切欠き部２４は、外殻プレキャスト部材２２を厚み方向に貫通するとともに、立面視（側面視）にて、矩形状に形成されている。
【００２８】
図２に示されるように、切欠き部２４には、後述する基礎梁５０の梁端部５０Ｅが挿入されている（嵌め込まれている）。この切欠き部２４は、基礎梁５０の梁端部５０Ｅの下面５０Ａが載置される載置面２４Ｌと、梁端部５０Ｅの両側の側面５０Ｓ（図１参照）とそれぞれ対向する一対の内側面２４Ｓとを有している。
【００２９】
図１に示されるように、外殻プレキャスト部材２２には、外殻プレキャスト部材２２と充填コンクリート４０との一体性を高めるための複数の上端接合筋２６及び下端接合筋（図示省略）が設けられている。なお、上端接合筋２６及び下端接合筋は、接合筋の一例である。
【００３０】
複数の上端接合筋２６及び下端接合筋は、フーチング２０の周方向に間隔を空けて配置されている。また、複数の上端接合筋２６及び下端接合筋は、外殻プレキャスト部材２２の内周面２２Ａから、フーチング２０の中央部へ向けて延出し、充填コンクリート４０に埋設されている。
【００３１】
図２に示されるように、複数の上端接合筋２６は、フーチング２０の上部に上下２段で配筋されている。また、複数の上端接合筋２６は、後述する上端梁主筋５４と同じ高さに配筋されている。これらの上端接合筋２６は、直径が異なる複数の上端フーチング筋３０を支持している。
【００３２】
複数の下端接合筋は、フーチング２０の下部に上下２段で配筋されている。また、複数の下端接合筋は、後述する下端梁主筋５６と同じ高さに配筋されている。これらの下端接合筋は、直径が異なる複数の下端フーチング筋３２を支持している。
【００３３】
なお、図３に示されるように、外殻プレキャスト部材２２の内周面２２Ａには、充填コンクリート４０との一体性を高めるためのコッター３４が形成されている。ただし、コッター３４は、省略可能である。
【００３４】
図１に示されるように、複数の上端フーチング筋３０及び下端フーチング筋３２は、杭１２又は後述する柱１６を囲むように、平面視にてリング状に形成されている。また、複数の上端フーチング筋３０は、フーチング２０の上部に埋設され、複数の下端フーチング筋３２は、フーチング２０の下部に埋設されている。なお、上端フーチング筋３０及び下端フーチング筋３２は、フーチング筋の一例である。また、上端フーチング筋３０及び下端フーチング筋３２は、それぞれ１段としても好適である。
【００３５】
複数の上端フーチング筋３０は、フーチング２０の外周部から中央部に向かうに従って直径が小さくなるように、同心円状に配置されている。これと同様に、複数の下端フーチング筋３２は、フーチング２０の外周部から中央部に向かうに従って直径が小さくなるように、同心円状に配置されている。また、上端フーチング筋３０と下端フーチング筋３２とは、複数のせん断補強筋３６によって連結されている。
【００３６】
複数のせん断補強筋３６は、フーチング２０の径方向及び周方向に間隔を空けて配置されている。図２に示されるように、せん断補強筋３６は、フーチング２０の高さ方向に延びる縦筋とされており、上端フーチング筋３０と下端フーチング筋３２とに亘って配置されている。また、各せん断補強筋３６の上端部には、上端フーチング筋３０に引っ掛けられるフック（プレートフック）３８が設けられ、各せん断補強筋３６の下端部には、下端フーチング筋３２に引っ掛けられるフック（プレートフック）３８が設けられている。
【００３７】
なお、せん断補強筋３６と上端フーチング筋３０及び下端フーチング筋３２との連結構造は、フック３８に限らず、適宜変更可能である。また、上端接合筋２６、下端接合筋、上端フーチング筋３０、及び下端フーチング筋３２の配置や本数は、適宜変更可能である。また、上端接合筋２６、下端接合筋、上端フーチング筋３０、及び下端フーチング筋３２は、適宜省略可能である。
【００３８】
外殻プレキャスト部材２２の内側には、現場において、充填コンクリート４０が充填されている。この充填コンクリート４０の内部には、前述した上端接合筋２６、下端接合筋、上端フーチング筋３０、及び下端フーチング筋３２が埋設される。なお、充填コンクリート４０の内部には、基礎梁５０の上端梁主筋５４及び下端梁主筋５６も埋設される。
【００３９】
（柱）
柱１６は、断面矩形状に形成されており、杭１２の上方に立てられている。また、柱１６の柱脚部は、フーチング２０（充填コンクリート４０）に埋設されている。この柱１６は、フーチング２０を介して杭１２の杭頭部に接合されている。
【００４０】
なお、柱１６は、鉄筋コンクリート造や、鉄骨鉄筋コンクリート造、鉄骨造であっても良いし、ＣＦＴ造であっても良い。また、柱１６とフーチング２０との接合構造は適宜変更可能である。したがって、例えば、フーチング２０の上面から突出するアンカーに、柱１６のベースプレート等を接合しても良い。
【００４１】
（基礎梁）
基礎梁５０は、プレキャスト鉄筋コンクリート造とされている。また、基礎梁５０は、断面矩形状に形成されている。この基礎梁５０の梁端部５０Ｅは、外殻プレキャスト部材２２の切欠き部２４に挿入されるとともに、フーチング２０の外周部に埋設されている。また、図２に示されるように、基礎梁５０の梁端部５０Ｅには、後述する緊張材６０が貫通される複数の貫通孔５２が形成されている。
【００４２】
適宜省略可能
基礎梁５０の内部には、複数の上端梁主筋５４及び下端梁主筋５６が埋設されている。複数の上端梁主筋５４及び下端梁主筋５６は、基礎梁５０の材軸方向に沿って配筋されている。なお、基礎梁５０の内部には、図示しないせん断補強筋が埋設されている。また、図１及び図２等では、基礎梁５０の内部に配筋された上端梁主筋５４及び下端梁主筋５６の図示を省略している。
【００４３】
複数の上端梁主筋５４は、基礎梁５０の上部に埋設されている。これらの上端梁主筋５４の一端部は、基礎梁５０の端面の上部から突出し、フーチング２０の上部に埋設されている。また、各上端梁主筋５４の一端部（先端部）には、機械式定着５８が取り付けられている。
【００４４】
複数の下端梁主筋５６は、基礎梁５０の下部に埋設されている。これらの下端梁主筋５６の一端部は、基礎梁５０の端面の下部から突出し、フーチング２０の下部に埋設されている。また、各下端梁主筋５６の一端部には、機械式定着５８が取り付けられている。
【００４５】
なお、上端梁主筋５４及び下端梁主筋５６の端部は、柱１６及び杭１２と接合されていない。また、機械式定着５８は、適宜省略可能である。
【００４６】
（緊張材）
図１に示されるように、フーチング２０の外周部、すなわち外殻プレキャスト部材２２の内部には、複数（本実施形態では４本）の緊張材６０が配置されている。より具体的には、図３に示されるように、緊張材６０は、外殻プレキャスト部材２２に埋設された筒状部材６２に挿入されている。筒状部材６２は、シース管等によって形成されている。
【００４７】
複数の緊張材６０は、ＰＣ鋼棒や、ＰＣ鋼線等のＰＣ線材（緊張線材）によって形成されている。これらの緊張材６０は、平面視にて、柱１６を囲む円を描くように、フーチング２０の周方向に沿って配置されている。また、平面視にて、複数の緊張材６０がフーチング２０の周方向に連続するように、隣り合う緊張材６０の端部同士が交差している。そして、各緊張材６０の両端部は、外殻プレキャスト部材２２に固定されている。
【００４８】
具体的には、外殻プレキャスト部材２２の外周面２２Ｂには、一対の凹部６４が形成されている。一対の凹部６４は、フーチング２０の周方向の間隔を空けて配置されている。各凹部６４の内壁面は、筒状部材６２の一端部が露出する固定座面６４Ａとされている。この固定座面６４Ａに、緊張材６０の端部が固定金具６６によって固定されている。
【００４９】
なお、筒状部材６２の他端部は、切欠き部２４の内側面２４Ｓから露出している。また、外殻プレキャスト部材２２の外周面には、凹部ではなく、固定座面を有する突出部を設けても良い。
【００５０】
ここで、図４に示されるように、緊張材６０は、平面視にて、基礎梁５０の上端梁主筋５４及び下端梁主筋５６と交差している。これにより、緊張材６０が緊張されると、フーチング２０の外周部に、上端梁主筋５４及び下端梁主筋５６と交差する方向に沿ったプレストレスＰが導入される。このプレストレスＰによって、フーチング２０と基礎梁５０との接合部が補強される。なお、図４では、上端接合筋２６、上端フーチング筋３０、せん断補強筋３６等の図示が省略されている。
【００５１】
また、緊張材６０は、外殻プレキャスト部材２２の切欠き部２４に挿入された基礎梁５０の梁端部５０Ｅを梁幅方向に貫通しており、その両端部が梁端部５０Ｅの両側において外殻プレキャスト部材２２に固定されている。そのため、緊張材６０は、平面視にて、基礎梁５０側に凸状に湾曲している。
【００５２】
より具体的には、緊張材６０は、平面視にてフーチング２０の外周部に沿った円弧状に湾曲されている。これにより、緊張材６０が緊張されると、外殻プレキャスト部材２２、及び基礎梁５０の梁端部５０Ｅにフーチング２０の中央側へ向かうプレストレスＰが導入される。このプレストレスＰによって、フーチング２０と基礎梁５０との接合部がさらに補強されるとともに、上端梁主筋５４及び下端梁主筋５６とフーチング２０との間の応力（拘束応力）の伝達効率が高められる。
【００５３】
さらに、図２に示されるように、緊張材６０は、地震時に、基礎梁５０の梁端部５０Ｅに作用する曲げモーメントＭに応じて、基礎梁５０の高さ方向に複数配置されている。具体的には、曲げモーメントが大きくなる梁端部５０Ｅの上部５０Ｕ及び下部５０Ｌには、緊張材６０が上下２段で配置されている。一方、曲げモーメントが小さくなる梁端部５０Ｅの高さ方向の中間部５０Ｍには、緊張材６０が１段で配置されている。つまり、梁端部５０Ｅ（フーチング２０の）の上部５０Ｕ及び下部５０Ｌには、梁端部５０Ｅ（フーチング２０）の高さ方向の中間部５０Ｍよりも多くの緊張材６０が配置されている。
また、緊張材６０の上下段の数および（または）緊張材６０の本数は、必要なプレストレス力または緊張材６０の径によって、適宜変更可能である。
【００５４】
（基礎梁接合構造の施工方法）
次に、本実施形態に係る基礎梁接合構造１０の施工方法の一例について説明する。
【００５５】
図２に示されるように、先ず、地盤Ｇ上に、捨てコンクリート１４を介して外殻プレキャスト部材２２を設置する。この際、地盤Ｇから既に突出する杭１２の杭頭部を、取り囲むように外殻プレキャスト部材２２を設置する。次に、杭１２の杭頭部上に柱１６を建て込み、杭頭部と柱１６の柱脚部とを適宜接合する。
【００５６】
次に、外殻プレキャスト部材２２の内側に、複数の下端フーチング筋３２を配筋する。具体的には、外殻プレキャスト部材２２の内周面２２Ａから突出する複数の下端接合筋（図示省略）の上に複数の下端フーチング筋３２を載置する。
【００５７】
この際、外殻プレキャスト部材２２の内周面２２Ａから突出する上端接合筋２６が下端フーチング筋３２に干渉する場合は、上端接合筋２６を下方、上方、又は横方向へ屈曲させておく。若しくは、下端フーチング筋３２を配筋した後に、例えば、外殻プレキャスト部材２２の内周面に埋設された図示しないナットに、上端接合筋２６の端部を捻じ込むことにより、外殻プレキャスト部材２２に上端接合筋２６を取り付ける。
【００５８】
次に、外殻プレキャスト部材２２の各切欠き部２４に、基礎梁５０の梁端部５０Ｅを挿入する。次に、外殻プレキャスト部材２２の内周面２２Ａから突出する複数の上端接合筋２６の上に複数の上端フーチング筋３０を載置するとともに、上端フーチング筋３０と下端フーチング筋３２とをせん断補強筋３６によって連結する。
【００５９】
次に、外殻プレキャスト部材２２に埋設された筒状部材６２に緊張材６０を挿入するとともに、基礎梁５０の梁端部５０Ｅに形成された貫通孔５２に緊張材６０を挿入する。そして、緊張材６０の両端部を、外殻プレキャスト部材２２の外周面２２Ｂに形成された固定座面６４Ａに、固定金具６６によって仮固定する。
【００６０】
次に、外殻プレキャスト部材２２の内側に充填コンクリート４０を充填（打設）し、硬化させる。これにより、フーチング２０が形成されるとともに、フーチング２０を介して杭１２、柱１６、及び複数の基礎梁５０が一体となって接合される。
【００６１】
次に、図示しない緊張装置によって緊張材６０の一端部に緊張力を付与しつつ、当該一端部を固定金具６６によって固定座面６４Ａに固定する。これにより、フーチング２０の外周部にプレストレスＰが導入される。
最後に、緊張材６０および固定金具６６が錆びないように、筒状部材６２および各凹部６４にグラウトやモルタルを充填しても好適である。
【００６２】
なお、基礎梁接合構造１０の施工方法は、適宜変更可能である。また、上記した基礎梁接合構造１０の施工手順は、適宜入れ替えても良い。
【００６３】
（作用）
次に、本実施形態の作用について説明する。
【００６４】
図２に示されるように、例えば、地震時に基礎梁５０に曲げモーメントＭが作用すると、梁端部５０Ｅの上部５０Ｕに引張力（引抜き力）Ｔが作用する。この引張力Ｔは、フーチング２０に埋設された上端梁主筋５４を介してフーチング２０に伝達される。この際、フーチング２０に対する上端梁主筋５４の埋設長さ（定着長さ）が短いと、上端梁主筋５４から上端フーチング筋３０に応力が十分に伝達されない可能性がある。また、フーチング２０と基礎梁５０との接合部に、ひび割れが発生する可能性がある。
【００６５】
なお、図２及び図４に示される符号Ｒは、引張力Ｔの伝達範囲を示している。また、図示を省略するが、基礎梁５０に、曲げモーメントＭと反対向きの曲げモーメントが作用した場合、基礎梁５０に作用する引張力は、下端梁主筋５６を介してフーチング２０に伝達される。
【００６６】
これに対して本実施形態では、図４に示されるように、フーチング２０の外周部、すなわち外殻プレキャスト部材２２に、緊張した状態の緊張材６０が埋設されている。この緊張材６０は、平面視にて、上端梁主筋５４及び下端梁主筋５６と交差している。これにより、フーチング２０の外周部に、上端梁主筋５４及び下端梁主筋５６と交差する方向に沿ったプレストレスＰが導入され、フーチング２０と基礎梁５０との接合部が補強される。したがって、フーチング２０と基礎梁５０との接合部に発生するひび割れが抑制される。
【００６７】
また、緊張材６０は、基礎梁５０の梁端部５０Ｅを梁幅方向に貫通している。これにより、フーチング２０と梁端部５０Ｅとの接合部に、プレストレスＰが直接的に導入される。したがって、フーチング２０と梁端部５０Ｅとの接合部に発生するひび割れがさらに抑制される。
【００６８】
さらに、緊張材６０は、基礎梁５０側へ向けて凸状に湾曲している。より具体的には、緊張材６０は、フーチング２０の外周部、すなわち外殻プレキャスト部材２２に沿って円弧状に湾曲している。これにより、緊張材６０を緊張させると、緊張材６０によって外殻プレキャスト部材２２がフーチング２０の中央側へ押圧される。つまり、緊張材６０を緊張させると、フーチング２０の外周部に当該外周部を中央側へ圧縮させるプレストレスＰが導入される。このプレストレスＰによるコンファインド効果によって、基礎梁５０の梁端部５０Ｅに作用する引張力Ｔが相殺される。
【００６９】
また、プレストレスＰによるコンファインド効果によって、上端梁主筋５４及び下端梁主筋５６からフーチング２０に応力が十分に伝達される。したがって、フーチング２０と基礎梁５０との接合部に発生するひび割れがさらに抑制される。
【００７０】
しかも、緊張材６０は、図２に示されるように、地震時に基礎梁５０の梁端部５０Ｅに作用する曲げモーメントＭに応じて、梁端部５０Ｅの高さ方向に設けられている。具体的には、梁端部５０Ｅ（フーチング２０の）の上部５０Ｕ及び下部５０Ｌには、梁端部５０Ｅ（フーチング２０）の高さ方向の中間部５０Ｍよりも多くの緊張材６０が設けられている。これにより、基礎梁５０の上部５０Ｕ及び下部５０Ｌに発生するひび割れが効率的に抑制される。
【００７１】
また、本実施形態では、柱１６の両側に配置された基礎梁５０の上端梁主筋５４同士、又は下端梁主筋５６同士を接合する必要がないため、フーチング２０内の配筋が単純化される。したがって、基礎梁５０及びフーチング２０の施工性が向上する。
【００７２】
さらに、外殻プレキャスト部材２２は、プレキャスト鉄筋コンクリート造とされている。そのため、外殻プレキャスト部材２２の内部に緊張材６０を容易に配置することができる。したがって、現場での緊張材６０の施工が容易となる。
【００７３】
また、外殻プレキャスト部材２２は、充填コンクリート４０の型枠として機能する。これにより、現場でのフーチング２０用の型枠の仮設や撤去作業が軽減される。したがって、フーチング２０の施工性が向上する。
【００７４】
（変形例）
次に、上記実施形態の変形例について説明する。
【００７５】
上記実施形態では、フーチング２０に４本の基礎梁５０が接合されているが、フーチング２０には、少なくとも１本の基礎梁５０を接合することができる。
【００７６】
また、上記実施形態のフーチング２０は、平面視にて円形状に形成されている。しかしながら、フーチング２０の外形は、平面視にて円形状に限らない。例えば、図５に示される変形例のように、フーチング７０（外殻プレキャスト部材）の外形は、多角形状に形成されても良い。また、図６に示される変形例のように、フーチング７２（外殻プレキャスト部材）の形状は、十字状に形成されても良い。
【００７７】
また、図７に示される変形例では、フーチング７４（外殻プレキャスト部材）の外形が、平面視にて半円状に形成されている。このフーチング７４には、例えば、構造物の外周部において、３本の基礎梁５０が接合される。また、図８に示される変形例では、フーチング７６（外殻プレキャスト部材）の外形が、平面視にて、扇状に形成されている。このフーチング７６には、例えば、構造物の角部において、２本の基礎梁５０が接合される。このようにフーチング７４，７６に接合される基礎梁５０の本数に応じて、フーチング７４，７６の形状は適宜変更可能である。
【００７８】
また、上記実施形態では、緊張材６０がフーチング２０の外周部に沿って湾曲されている。しかしながら、図９に示される変形例のように、緊張材６０は、直線状あっても良い。
【００７９】
具体的には、図９に示される変形例では、フーチング８０の外殻プレキャスト部材８２が、平面視にて矩形の筒状に形成されている。この外殻プレキャスト部材８２の４つの側壁部８２Ｓの内部には、直線状の緊張材６０が配置されている。これらの緊張材６０をそれぞれ緊張させることにより、基礎梁５０の梁端部５０ＥにプレストレスＰが導入される。これにより、上記実施形態と同様に、フーチング８０と梁端部５０Ｅとの接合部のひび割れが抑制される。
【００８０】
また、上記実施形態の外殻プレキャスト部材２２は、例えば、周方向に複数の分割ピースに分割されても良いし、高さ方向に複数の分割ピースに分割されても良い。具体的には、図１０に示される変形例では、フーチング９０の外殻プレキャスト部材９２が、高さ方向に複数（図１０では３つ）の分割ピース９４に分割されている。
【００８１】
複数の分割ピース９４は、フーチング９０の高さ方向に積層されている。また、隣り合う分割ピース９４の間には、グラウト等の充填材が充填されている。なお、隣り合う分割ピース９４の界面には、ダウェル鉄筋を導入することやコッター等を形成しても良い。
【００８２】
フーチング９０の外周部には、緊張材６０が複数の分割ピースに亘るように螺旋状に配置されている。ここで、柱１６の両側の基礎梁５０には、地震時に反対向きの曲げモーメントＭが作用する。そのため、本変形例では、柱１６の両側の基礎梁５０のうち、一方の基礎梁５０の上部に緊張材６０が配置され、他方の基礎梁５０の下部に緊張材６０が配置されるように、緊張材６０が螺旋状に配置されている。これにより、一方の基礎梁５０と他方の基礎梁５０との間で、曲げモーメントＭを効率的に伝達することができる。
【００８３】
また、上記実施形態では、緊張材６０が基礎梁５０の梁端部５０Ｅを貫通している。しかしながら、緊張材６０は、梁端部５０Ｅを貫通させず、梁端部５０Ｅの端面の周囲に配置しても良い。
【００８４】
また、上記実施形態では、フーチング２０に４本の緊張材６０が埋設されている。しかしながら、フーチング２０に、少なくとも１本の緊張材を埋設することができる。この際、フーチング２０にコンファインド効果が発生するように、フーチング２０の外周部に沿った円形状に緊張材を配置することが望ましい。
【００８５】
また、上記実施形態では、外殻プレキャスト部材２２を用いてフーチング２０が形成されるが、外殻プレキャスト部材２２を用いずに、フーチング２０全体を現場打ちコンクリートで形成することも可能である。
【００８６】
また、上記実施形態では、フーチング２０に杭１２の杭頭部が埋設されている。しかしながら、フーチング２０には、杭が埋設されなくても良い。
【００８７】
さらに、上記実施形態では、基礎梁５０がプレキャスト鉄筋コンクリート造とされるが、基礎梁５０は、現場打ちコンクリートによって形成することも可能である。
【００８８】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８９】
１０  基礎梁接合構造
１６  柱
２０  フーチング
２２  外殻プレキャスト部材
４０  充填コンクリート
５０  基礎梁
５０Ｅ  梁端部
５４  上端梁主筋（梁主筋）
５６  下端梁主筋（梁主筋）
６０  緊張材
７０  フーチング
７２  フーチング
７４  フーチング
７６  フーチング
８０  フーチング
８２  外殻プレキャスト部材
９０  フーチング
９２  外殻プレキャスト部材
【図１】
2020147977.tif 000003
【図２】
2020147977.tif 000004
【図３】
2020147977.tif 000005
【図４】
2020147977.tif 000006
【図５】
2020147977.tif 000007
【図６】
2020147977.tif 000008
【図７】
2020147977.tif 000009
【図８】
2020147977.tif 000010
【図９】
2020147977.tif 000011
【図１０】
2020147977.tif 000012